(57)【特許請求の範囲】
【請求項１】
天板と、
前記天板に取り付けられる脚と、
前記天板の裏面において前記脚と前記天板とが当接する面の部分を除いて辺に沿って固定された複数の支持杆と、
を備えた什器に、前記脚を固定するための脚取付構造であって、
２本の前記支持杆を橋渡しする支持杆接続部と、
前記脚の断面の対角線方向に雌ネジの軸を向けて設けられたナットと、
前記支持杆接続部を貫通して前記ナットにより固定するボルトと、
を有し、
前記脚の上端面、及び前記天板裏面において前記脚が当接する面のうちの一方に係止片、他方に係止穴を備え、
前記ナットに対する前記ボルトの締め付けによって、前記係止片と前記係止穴とが係止されて、少なくとも前記脚と前記天板との固定がなされる構成を有することを特徴とする什器の脚取付構造。
【請求項２】
前記係止穴は、大径穴と小径穴とを接合してなるダルマ穴からなり、前記大径穴と前記小径穴との中心が脚の断面の対角線に平行に設けられ、且つ前記大径穴が前記小径穴より前記天板の中心側に存在するように設けられることを特徴とする請求項１記載の什器の脚取付構造。
【請求項３】
前記脚の上端面は、プレートにより封止されており、前記プレートは、前記脚の上端面からはみ出した突出片を備えたことを特徴とする請求項１又は２に記載の什器の脚取付構造。
【請求項４】
前記脚の側面で前記支持杆の面と固定する固定プレートが設けられ、前記固定プレートは、前記脚の隣り合う側面２面から９０度の方向に伸びた２つの取付片を備え、前記取付片により前記支持杆の表面と固定することを特徴とする請求項１〜３のいずれか１項に記載の什器の脚取付構造。
【請求項５】
天板と、
前記天板に取り付けられる脚と、
前記天板の裏面において前記脚と前記天板とが当接する面の部分を除いて辺に沿って固定された複数の支持杆とを備えた什器における脚取付構造として、請求項１〜４のいずれか１項に記載の什器の脚取付構造を用いたことを特徴とする什器。
【発明の詳細な説明】
【技術分野】
【０００１】
本発明は、テーブルや机などの什器に対する着脱式の脚取付構造及びそれを備えた什器に関する。
【背景技術】
【０００２】
あらかじめ組み立てられた完成品状態のテーブルや机などの什器では、脚を天板や天板支持杆に溶接や接着で固定することが可能なため、什器に対して脚を強固に固定することができる。
【０００３】
これに対して、脚が着脱式の場合、脚を什器に取り付けるための取付具が必要である。脚と什器の接合が緩いと、設置して使用する際に什器は不安定となり、使用に適さない。そこで、什器が不安定にならないよう取付具によって什器と脚を強力に固定することが課題となっている。そして、脚を什器に対して強固に取り付けるべくさまざまな技術が提案されてきた。
【０００４】
例えば、天板裏面の四辺に沿って４本固定した棒状の支持杆（フレーム）に対して、脚をボルト（ネジ）締めする技術が開示されている（特許文献１参照）。この技術では、支持杆の側面部と脚の接触面積を広く取って、脚を支持杆に対して安定的に固定する必要があり、これに対して、支持杆の垂直方向の長さを長くすることで対応している。
【０００５】
一方、脚と天板との間に、脚の上端よりも面積の広い固定板を間挿し、まず、脚上端面とこの固定板を固定し、さらに、脚上端面からはみ出した固定板部分で、天板と固定部を固定することで、脚を天板に固定する技術が開示されている（特許文献２参照）。この技術では、天板と脚との間に固定板を介することによって、脚の上端面の面積よりも広い範囲でビス止めすることができるようになり、脚を天板に強力に固定することが可能になる。
【先行技術文献】
【特許文献】
【０００６】
【特許文献１】特開２００２−１５３３２６号公報
【特許文献２】特開２０１０−９４３９６号公報
【発明の概要】
【発明が解決しようとする課題】
【０００７】
ところで、特許文献１に示される脚と支持杆との固定構造においては、上述のように、脚と支持杆の接触面積を広く取る必要性から、支持杆の側面部を垂直方向に長くしていた。しかしながら、支持杆の側面部を垂直方向に長くすると、天板の下部に支持杆が相当程度突出することとなり、天板下の空間が狭くなってしまう。このことは、天板下部において、使用者が足を入れるスペースの減少を招く。また、多段の抽出を備えたワゴンなどを、天板下部に収納して用いることが一般的に行われているが、天板下の支持杆の出っ張りは、ワゴンなどの使用サイズの制約になることもある。
【０００８】
また、特許文献２では、脚と天板との間に固定部を介在させることで、脚の上端面よりも広い範囲で脚を天板に固定することができるため、脚を方形状の天板の隅に設けることが可能となっている。とはいえ、天板に脚を固定するにあたっては、天板の隅における固定が最も重要である。そのため、この文献２では、脚の天板隅に当接する位置に、脚の上端部外側を斜めに切断することで切欠部を設け、この部分に固定板を脚上端面からはみ出させることで、この位置における固定部と天板との固定領域を確保している。しかしながら、この手法では、脚に切欠部を加工する必要があり手間がかかる。また、角柱で形成される脚の上端部に切欠を設けることは、見た目にも大きく影響し、デザインとして天板から脚への意匠的なつながりを求めることができない。
【０００９】
本発明は、以上のような従来技術の課題を解決するために提案されたものであり、その目的は、什器の天板に着脱式の脚を取り付けるにあたって、脚を天板に簡易確実に固定できるとともに、デザイン性も両立した脚取付構造及びそれを備えた什器を提供することにある。
【課題を解決するための手段】
【００１０】
上記目的を達成するため、請求項１の発明は、天板と、前記天板に取り付けられる脚と、前記天板の裏面において前記脚と前記天板とが当接する面の部分を除いて辺に沿って固定された複数の支持杆とを備えた什器に、前記脚を固定するための脚取付構造であって、２本の前記支持杆を橋渡しする支持杆接続部と、前記脚の断面の対角線方向に雌ネジの軸を向けて設けられたナットと、前記支持杆接続部を貫通して前記ナットにより固定するボルトとを有し、前記脚の上端面、及び前記天板裏面において前記脚が当接する面のうちの一方に係止片、他方に係止穴を備え、前記ナットに対する前記ボルトの締め付けによって、前記係止片と前記係止穴とが係止されて、少なくとも前記脚と前記天板との固定がなされる構成を有することを特徴とする。
【００１１】
以上の態様では、什器の天板に対する脚の固定構造として、脚と支持杆とを固定する脚支持杆固定構造に加え、脚と天板とを固定する脚天板固定構造も採用することで、脚の固定を確実に行うことができる。すなわち、従来、天板と脚をボルト１本で固定した状態よりも、さらに強固に取り付け可能な脚取付構造を提供することができる。
【００１２】
特に、脚の上端面又は天板裏面の脚当接面の一方に係止片を設け、他方に係止穴を設け、これらを係止することで、脚と天板との固定を行う。そのため、脚の周囲、特に什器外側に固定ビス等を必要とせず、天板の角付近に脚を設けることが可能である。さらに、天板の角付近に脚を設けることができるので、天板縁と脚の意匠的つながりをもたせたデザイン性の高い脚の固定構造を提供することができる。また、脚の天板への固定手法自体、まず、脚を天板と係合させ、その後に脚と支持杆をボルト締めする、という非常に簡易な手法を提供できる。
【００１３】
また、脚支持杆固定構造と、脚天板固定構造を両立することにより、脚天板固定構造が、脚支持杆固定構造を補完することができる。すなわち、従来は、脚支持杆固定構造のみ用いていたため、支持杆の垂直方向の高さを高く設定し、脚との接触面積を増やすことで固定を確実なものとしていたが、本発明では、その必要がなく、支持杆の垂直方向の高さを低く設定することが可能となる。そのため、什器の天板下部の空間を減少させることなく広く確保することができる。
【００１４】
請求項２の発明は、請求項１の発明において、前記係止穴は、大径穴と小径穴とを接合してなるダルマ穴からなり、前記大径穴と前記小径穴との中心が脚の断面の対角線に平行に設けられ、且つ前記大径穴が前記小径穴より前記天板の中心側に存在するように設けられることを特徴とする。
【００１５】
以上の態様では、天板もしくは脚の上端面のいずれか一方に突起を設け、他方にダルマ穴を設けたことにより、突起を大径穴から小径穴に移動させることで、突起のフランジ部分がダルマ穴に引っ掛かり、天板と脚との固定が可能となる。また、ダルマ穴の大径穴と小径穴との中心を脚の断面の対角線に平行にして設けられ、且つ大径穴を天板の中心側に設けたことにより、まず、脚と天板とを突起及びダルマ穴により固定した後、脚と支持杆とを固定するにあたって、ボルトの締め付けにより、脚が天板の中心側に移動する。その後、これに伴って、突起はダルマ穴の小径穴側に移動する。これにより、本発明の什器の組み立てを行う作業者が、脚天板固定構造を手作業により行う場合であっても、最終的には、脚天板固定構造でのボルト締めを行うことで、突起とダルマ穴との係合も確実なものとすることができる。このような本発明の態様によれば、脚の天板への取付作業を容易にしつつ、作業者の技量による個人差や個体差をなくし作業の完成度を高めることができる。
【００１８】
請求項３の発明は、請求項１又は２に記載の発明において、前記脚の上端面は、プレートにより封止されており、前記プレートは、前記脚の上端面からはみ出した突出片を備えたことを特徴とする。
【００１９】
以上の態様では、脚の上端面に突出片を設けたことにより、脚と天板裏面との接触面積を増やすことができる。これによって、天板と脚とが、脚の断面積のみにおいて接触している場合に比べて、安定感が増し、脚のぐらつきをさらに抑えることが可能となる。すなわち、この態様は、脚天板取付構造における脚の固定を補完するものとなる。
【００２０】
請求項４の発明は、請求項１〜３のいずれか１項に記載の発明において、前記脚の側面で前記支持杆の面と固定する固定プレートが設けられ、前記固定プレートは、前記脚の隣り合う側面２面から９０度の方向に伸びた２つの取付片を備え、前記取付片により前記支持杆の表面と固定することを特徴とする。
【００２１】
以上の態様では、固定プレートより、脚と支持杆とを、ボルトによる平面方向のみならず、垂直方向においても固定できる。これにより、天板裏面全体で脚のズレを抑制することができる。すなわち、この態様は、脚支持杆取付構造における脚の固定を補完するものとなる。
【００２２】
請求項５の発明は、天板と、前記天板に取り付けられる脚と、前記天板の裏面において前記脚と前記天板とが当接する面の部分を除いて辺に沿って固定された複数の支持杆とを備えた什器における脚取付構造として、請求項１〜４のいずれか１項に記載の什器の脚取付構造を用いたことを特徴とする。
【００２３】
以上のように、本発明は、什器の脚取付構造として把握することが可能であるのみならず、この取付構造を利用した什器としても把握可能である。
【発明の効果】
【００２４】
以上の本発明によれば、什器の天板に着脱式の脚を取り付けるにあたって、脚を天板に簡易確実に固定できるとともに、デザイン性も両立した脚取付構造及びそれを備えた什器を提供することができる。
【図面の簡単な説明】
【００２５】
【図１】本発明の第１の実施形態に係る脚固定構造を用いたテーブルの一部を示す底面図（ａ）及び正面図（ｂ）。
【図２】本発明の第１の実施形態に係る脚固定構造における脚と支持杆との固定構造を示す斜視分解図（ａ）及び断面矢視図（ｂ）。
【図３】本発明の第１の実施形態に係る脚固定構造における脚と天板との固定構造を示す模式図。
【図４】本発明の第２の実施形態に係る脚固定構造における脚と天板との固定構造を示す平面図。
【図５】本発明の第３の実施形態に係る脚固定構造における脚と支持杆との固定構造を示す底面図（ａ）及び断面矢視図（ｂ）。
【図６】本発明の他の実施形態に係る脚固定構造における脚と天板との固定構造を示す模式図。
【発明を実施するための形態】
【００２６】
以下、本発明の実施の形態について第１〜第３の実施形態として、図面を参照しながら説明する。なお、以下の説明では、本発明の脚取付構造を用いて脚を取り付けたテーブル（什器の一例）について、本発明の実施形態として説明するが、本発明は上述のように、テーブルを含まない脚取付構造自体としても把握可能である。
【００２７】
［１．第１の実施形態］
［１−１．構成］
（１）全体構成
第１の実施形態の脚取付構造を用いたテーブル１は、図１に示すように、方形の天板２と、天板２の裏面において四辺に沿って設けられた支持杆３と、天板２の四隅に取り付けられる脚４と、天板２に対して脚を固定するための脚取付部５と、から構成される。
【００２８】
天板２は方形で形成され、その素材は、例えば、スチール素材、無垢材、パーティクルボード、中密度木質繊維板、中空のフラッシュボード等の表面に突き板やプリント紙を貼ったもので構成される。
【００２９】
支持杆３は、天板２に脚４が取り付けられる脚４と天板２との当接する面の部分（後に、「空き空間Ｂ」という。）を除いて、天板２裏面の四辺に沿って溶接やネジ止め等により固定されている。支持杆３は、中空の角柱パイプにより構成される。また、天板２に取り付けられる脚４は、断面が方形の角柱である。
【００３０】
以上のような天板２、支持杆３、脚４の各構成要素の基本的な構成は、従来と同様であって、本実施形態の特徴的構成は、天板２、支持杆３及び脚４を相互に結びつける脚取付部５の構成にある。本実施形態の脚取付部５は、従来一般的に用いられる脚と支持杆とボルトとの取付構造に加え、脚４と天板２との取付構造を有するものである。以下、脚取付部５の構成について、具体的に説明する。
【００３１】
（２）脚取付部の構成
上述のように、本実施形態の脚取付部５は、機能により、脚と支持杆との取付構造と、天板と脚との取付構造とに分けて捉えることができる。そこで、以下では、上記の２つに分けてそれぞれについて具体的な説明を行う。
【００３２】
（２−１）脚と支持杆との取付構造
図１に示すように、脚取付部５は、脚４と支持杆３とを取り付ける構造として、２本の支持杆３の間を橋渡しする支持杆接続部５１と、この支持杆接続部５１から天板２の四隅に設けられた脚４に貫通させるとともに脚４の内周面との間で固定するボルト５２と、脚４内周面においてボルト５２のねじ切り部分を受けるナットをなすナットプレート５４とを備える。
【００３３】
この構造の詳細を図２に示す。図２（ａ）は脚取付部５の構造を示す斜視図であり、同図（ｂ）は脚取付部５の断面構造を示すため図１（ａ）におけるＡ−Ａ断面を示した断面矢視図である。支持杆接続部５１は、平面視台形状でなり、２本の支持杆３が交差する位置において、脚４の断面の対角線に対して、台形状の上底と下底とをなす面を垂直方向に配置してなる。また、上底をなす面と下底をなす面のそれぞれには、脚４の断面のなす対角線上に、ボルト５２を貫通させる貫通孔５３が設けられている。支持杆接続部５１は、テーブル１の支持杆３に溶接等により固定されるものである（図１参照）。
【００３４】
ナットプレート５４は、支持杆接続部５１側から挿入されるボルト５２を、脚４の内周面にて受けるナットの役割をなすものである。ナットプレート５４は、脚４に挿入されるボルト５２の方向、すなわち、天板２に取り付けられた状態の脚４の対角線方向に雌ネジの軸を向けるため、雌ネジを備えたプレート面５４ａと、その両側に脚４の内周面の２面に当接するプレート片５４ｂ、５４ｃとを備える。プレート片５４ｂと５４ｃとは、プレート面５４ａに対して４５度の角度でプレート面５４ａの両側に設けられている。なお、脚４の対角線上の角部分にも、ボルト５２を貫通させる孔４Ａが設けられている。
【００３５】
ここで、図２の分解図においては、ナットプレート５４は、説明の便宜上、脚４から分離して表している。この点、完成品においては、ナットプレート５４はその雌ネジ部分を、脚４に設けた孔４Ａ部分に一致させた状態で、プレート片５４ｂ及び５４ｃが脚４の内周面に対して溶接又は接着されることによって、予め固定した状態となっている。
【００３６】
（２−２）脚と天板との取付構造
図１に示すように、脚取付部５は、脚４と天板２とを取り付ける構造として、脚４の上端プレート５５に設けた２つのダルマ穴５６と、このダルマ穴に対応して天板２側に設けた２本の突起５７とを備える。
【００３７】
この構造の詳細を図３に示す。脚４の上端部は、ダルマ穴５６を設けるため、上端プレート５５により封止し、脚４と上端プレート５５は脚４に対して溶接等により固定されている。
【００３８】
ダルマ穴５６は、その名前のとおり、２つの径の異なる穴が接合されて、だるまのように連続して形成されたものであり、ここでは、小径の穴５６ａが天板２の角方向に向き、大径の穴５６ｂは支持杆接続部５１の側を向いて設けられている。すなわち、これらの穴５６ａ，５６ｂは、その小径穴５６ａから大径穴５６ｂに至るラインが、脚４断面の対角線方向に平行に設けられている。
【００３９】
突起５７は、図３並びに図２及び図１（ａ）に示すように、天板２の角において、脚４の上端プレート５５を天板２の空き空間Ｂに当接させた際に、小径穴５６ａに相当する位置に設けたものである。
【００４０】
突起５７には、フランジ状に出っ張った部分を有する段付ネジを用いる。この段付ネジの最大径部分の径は、ダルマ穴５６の大径穴５６ｂよりも小さく、小径穴５６ａよりも大きく構成されている。すなわち、突起５７の段部は、ダルマ穴５６の大径穴５６ｂにおいては通過可能に設けられ、小径穴５６ａにおいては通過できない。そこで、まず、突起５７の段部までを、大径穴５６ｂにおいて脚４内に挿入し、その後、脚４を対角線方向に動かすことにより、小径穴５６ａにおいて係合し、脚４と天板２とが固定されるものである。
【００４１】
［１−２．作用効果］
以上の構成からなる本実施形態の脚取付構造を用いたテーブル１の作用効果について説明する。本項においては、上記の構成について説明した項と同様、本発明の特徴的構成である脚取付部の作用効果について、まず、その機能に分け、（１）脚と支持杆との取付構造の作用と、（２）天板と脚との取付構造の作用について説明する。その後、（３）テーブルへの脚の取付手順について説明し、最後に、（４）脚と支持杆との取付構造と天板と脚との取付構造との相乗的な効果について説明する。
【００４２】
（１）脚と支持杆との取付構造の作用
本実施形態における脚４と支持杆３との取付構造による作用について、図１及び図２の構成図を参考に説明する。図１に示すように、ボルト５２と、ナットプレート５４とを締結することで、支持杆接続部５１と脚４との間隔が狭まり、脚４に対して、脚４の断面対角線方向に向かって引力が働く。これにより、脚４は、脚４の２つの面が接する支持杆３の側面部分に、ボルト５２の締結具合により強く当接することとなる。
これにより、脚４は、支持杆３と固定されることとなる。
【００４３】
（２）天板と脚との取付構造の作用
本実施形態における脚４と天板２との取付構造による作用について、図１及び図３の構成図を参考に説明する。天板２側に設けた２本の突起５７は、脚４の上端プレート５５に設けた２つのダルマ穴５６において締結されることで、脚４が天板２に固定されるものである。
【００４４】
より具体的には、大径穴５６ｂの位置から脚４の内部に挿入された突起５７が、突起５７の小径穴５６ａの位置に移動することで、突起５７のフランジ形状の出っ張り部分がダルマ穴５６に対して係合し、垂直方向、すなわち、突起５７がダルマ穴５６から抜ける方向に対して動かなくなって固定される。
【００４５】
これにより、脚４は、天板２に対して、垂直方向を含む支持杆３側以外の方向に対して動かず、固定されることとなる。
【００４６】
（３）テーブルへの脚の取付手順
以上のような脚４と支持杆３並びに脚４と天板２との２つの取付構造を備えた本実施形態のテーブル１において、脚４をテーブル１へ取り付ける手順について説明する。
【００４７】
本実施形態においては、まず、脚４と天板２の取り付けを行う。すなわち、脚４の上端プレート５５を、２つの支持杆３が交差する位置の天板２裏面が露出した空き領域Ｂに当接させる。このとき、上端プレート５５を設けたダルマ穴５６のうち大径穴５６ｂが、天板２側に設けた突起５７に当たるように当接させる。この状態で、大径穴５６ｂに対して、突起５７を挿入し、上端プレート５５が天板２の空き領域Ｂに当接するようにする（以上、図３参照）。
【００４８】
次に、脚４と支持杆３との取り付け作業に移行する。支持杆接続部５１に設けられた貫通孔５３に対してボルト５２を挿入し、さらに脚４に設けられた孔４Ａに挿入し、孔４Ａの奥側に設けられたナットプレート５４のプレート面５４ａの雌ネジにねじ込まれる。ボルト５２の締め付けを強くしていくと、脚４は、支持杆３側に徐々に引き寄せられる。これにより、脚４と支持杆３との固定がなされる（以上、図２参照）。
【００４９】
そして、これとともに、天板２に設けられた突起５７は、脚４の上端プレート５５において徐々に大径穴５６ｂ側から小径穴５６ａ側に移動し、最終的には、小径穴５６ａの端部において係合する。これにより、脚４と天板２との固定がなされる。
【００５０】
（４）脚と支持杆との取付構造と天板と脚との取付構造との相乗的な効果
以上の本実施形態によれば、什器の天板に対する脚の固定構造として、脚と支持杆とを固定する脚支持杆固定構造に加え、脚と天板とを固定する脚天板固定構造も採用することで、脚の固定を確実に行うことができる。すなわち、従来、天板と脚をボルト１本で固定した状態よりも、さらに強固に取り付け可能な脚取付構造を提供することができる。
【００５１】
特に、天板もしくは脚の上端面のいずれか一方に、突起を設け、他方にダルマ穴を設けたことにより、突起を大径穴から小径穴に移動させることで、突起のフランジ部分がダルマ穴に引っ掛かり、天板と脚との固定を可能にしている。そのため、脚の周囲、特に什器外側に固定ビス等を必要とせず、天板の角付近に脚を設けることが可能である。さらに、天板の角付近に脚を設けることができるので、天板縁と脚の意匠的つながりをもたせたデザイン性の高い脚の固定構造を提供することができる。
【００５２】
また、脚の天板への固定手法自体、まず、脚を天板と係合させ、その後に脚と支持杆をボルト締めする、という非常に簡易な手法を提供できる。
【００５３】
さらに、脚支持杆固定構造と、脚天板固定構造を両立することにより、脚天板固定構造が、脚支持杆固定構造を補完することができる。すなわち、従来は、脚支持杆固定構造のみ用いていたため、支持杆の垂直方向の高さを高く設定し、脚との接触面積を増やすことで固定を確実なものとしていた。これに対して、本実施形態では、その必要がなく、支持杆の垂直方向の高さを低く設定することが可能となる。そのため、什器の天板下部の空間を減少させることなく広く確保することができる。
【００５４】
脚天板固定構造においては、ダルマ穴の大径穴と小径穴との中心を脚の断面の対角線に平行にして設けられ、且つ大径穴を天板の中心側に向くように設けた。これにより、まず、脚と天板とを突起及びダルマ穴により固定した後、脚と支持杆とを固定するにあたって、ボルトの締め付けにより、脚が天板の中心側に移動する。そして、これに伴って、突起はダルマ穴の小径穴側に移動する。そのため、本実施形態のテーブルの組み立てを行う作業者が、脚天板固定構造を手作業により行う場合であっても、最終的には、脚天板固定構造でのボルト締めを行うことで、突起とダルマ穴との係合も確実なものとすることができる。以上より、脚の天板への取付作業を容易にしつつ、作業者の技量による個人差をなくし作業の完成度を高めることができる。
【００５５】
［２．第２の実施形態］
第２の実施形態の脚取付構造は、テーブル１において、第１の実施形態における脚４と天板２との取付構造に改良を加えたものである。すなわち、脚４の上端プレート５５に、このプレートから突出した突出片５８を設けたものである。
【００５６】
（１）構成
図４に示すように、突出片５８は、上端プレート５５において、断面が正方形状の脚４の対角線方向であって、支持杆接続部５１の側に、方形状に突出した片をなす。突出片５８は、上端プレート５５と面を共通に面一に形成される。すなわち、突出片５８は、上端プレート５５を、テーブル１の中心側に向かって延伸し、脚４の上端面における天板２の裏面との接触面積を増加させるものであり、特に、脚４の対角線方向に増加させるものである。
【００５７】
なお、この突出片５８の形状は、本実施形態では方形状としているが、脚４の上端プレート５５と、テーブル１の天板２裏面との接触面積を増加させることのできるものであれば、その形状や大きさは問わない。例えば、下底側を天板２の中心側に向けた台形状などによっても形成することが可能である。ただし、第３の実施形態において説明する固定プレート５９など、他の部材と干渉しない範囲で構成する必要がある。
【００５８】
（２）作用効果
（２−１）取付手順
以上の構成からなる本実施形態の脚取付構造では、第１の実施形態において取り付け手順として示した脚４と天板２との取り付けの際に、この取り付け作業とあわせて、突出片５８の取り付けを行う。
【００５９】
すなわち、本実施形態のテーブル１において、支持杆３は、天板２の裏面に対して、部分的に溶接又はビス止めされているため、天板２裏面と支持杆３の間には、わずかな隙間が空いている。そこで、第１の実施形態において示した脚４と天板２との取り付けの際、つまり、脚４の上端プレート５５を、２つの支持杆３が交差する位置の天板２裏面が露出した空き領域Ｂに当接させる際に、突出片５８を空き領域Ｂ側から、その両側に設けられた支持杆３の裏面に滑り込ませる。
【００６０】
以降は、第１の実施形態と同様である。すなわち、上端プレート５５を設けたダルマ穴５６のうち大径穴５６ｂが、天板２側に設けた突起５７に当たるように当接させる。そして、大径穴５６ｂに対して、突起５７を挿入し、上端プレート５５が天板２の空き領域Ｂに当接するようにし、脚４と天板２との取り付けを行う。
【００６１】
その後、第１の実施形態において示したように、脚４と支持杆３との取り付けを行い、脚４と支持杆３との固定及び脚４と天板２との固定を行う。
【００６２】
（２−２）作用効果
以上の構成からなる本実施形態の脚取付構造によれば、突出片５８により、脚４の上端プレート５５と、天板２の裏面との接触面積を増加させることができる。これにより、脚４と天板２の上端プレート５５の面で当接しているよりも、脚４のぐらつきをより抑えることが可能となる。特に、第１の実施形態において示した脚と支持杆との取付構造と、突起及びダルマ穴による脚と天板との取付構造に、さらに本実施形態の取付構造を付加することで、テーブル１への脚４の取り付けをより強固にすることができる。
【００６３】
このような本実施形態では、天板に対して脚が確実に固定され、従来、天板と脚をボルト１本で固定した状態よりも、さらに強固に取り付けることが可能な脚取付構造を提供することができる。すなわち、本実施形態では、脚天板取付構造における脚の固定を補完することができる。
【００６４】
［３．第３の実施形態］
第３の実施形態の脚取付構造は、テーブル１において、第１又は第２の実施形態における脚４と支持杆３との取付構造に改良を加えたものである。すなわち、脚４の側面に支持杆３の面と固定する固定プレート５９を設けたものである。
【００６５】
（１）構成
固定プレート５９は、図５に示すように、脚４を中心として、脚４の隣り合う側面２面から９０度の方向に伸びた２つの取付片５９ａ，５９ｂを備える。この取付片５９ａ，５９ｂには、それぞれ支持杆３の表面と接続するための取付穴５９ｃを複数（ここでは、各２つ。）有する。なお、これに対応して、支持杆３の表面にも複数の穴が設けられ雌ネジが切られている。取付片５９ａ，５９ｂとの間には、支持杆接続部５１を覆うように、補強部５９ｃが形成されている。この補強部５９ｃは必須の構成ではないが、これが存在することにより、細幅の取付片５９ａ，５９ｂの強度を高めている。
【００６６】
このような固定プレート５９では、取付穴５９ｃからボルトを貫通させ、支持杆３に対してボルト締めすることで、取付片５９ａ，５９ｂを支持杆３と固定するものである。
【００６７】
ここで、固定プレート５９を含む脚取付部５の垂直方向の位置関係について、図５（ｂ）の断面図を参照して説明する。図５（ｂ）は、図５（ａ）におけるＢ−Ｂ断面図である。同図に示すように、脚取付部５は、脚４の上端部に、上端プレート５５を備え、そのすぐ下部に、ボルト５２を挿入する孔４Ａを備える。また、その下部であって、支持杆３の表面に当接する位置に、上述した取付片５９ａ，５９ｂを備える。なお、ここでは、Ｂ−Ｂ断面図のため、固定プレート５９において図面上現れるのは、支持杆接続部５１とその表面を覆う補強部５９ｃである。しかし、取付片５９ａ，５９ｂ及び補強部５９ｃは、一体に構成され且つ同一平面上に存在するものであるので、取付片５９ａ，５９ｂの垂直方向位置は、図５（ｂ）より上述の通り把握することができるものである。
【００６８】
（２）作用効果
以上の構成からなる本実施形態の脚取付構造では、第１又は第２の実施形態において取り付け手順として示した、脚４と天板２との取り付け、および脚４と支持杆３との取り付けの一連の作業が終了した後に、最後の取り付け作業として行われるものである。
【００６９】
すなわち、脚４と支持杆３との取り付け作業として、ボルト５２の締め付けを終了し、脚４が空き領域Ｂにおいて位置決めされた後に、固定プレート５９の取付片５９ａ，５９ｂを、支持杆３の表面にボルトによって固定する。
【００７０】
以上のような第３の実施形態の脚取付構造によれば、第１及び第２の実施形態における取付構造の作用に加え、脚と支持杆との固定を、支持杆と脚との水平方向におけるボルトによる固定に加えて、支持杆と脚との垂直方向における固定もできる。
【００７１】
これにより、脚支持杆取付構造における脚の固定を補完することができ、天板に対して脚が確実に固定され、従来、天板と脚をボルト１本で固定した状態よりも、さらに強固に取り付けることが可能な脚取付構造を提供することができる。
【００７２】
［４．他の実施形態］
本発明は上記実施形態において示した態様に限定されるものではなく、例えば、以下のような実施形態も包含するものである。
【００７３】
第１の実施形態では、脚と天板との取付構造として、脚４の上端プレート５５にダルマ穴５６を設け、天板２の裏面の空き空間Ｂに突起５７を設けた例を示した。しかしながら、本発明はこのような態様に限られず、上端プレート５５に突起を設け、天板２の裏面にダルマ穴５６を設けて構成することも可能である。この態様においても、突起とダルマ穴とを接合させることができ、機能的にも意匠的にも本実施形態と同様のものとなる。
【００７４】
また、第１の実施形態では、脚と天板との取付構造として、ダルマ穴と突起とをそれぞれ２つずつ設けたが、これも最適な実施態様を示すに過ぎない。すなわち、ダルマ穴と突起の数は、一つでも良いし、３つ以上の複数であっても構わない。ただし、既に指摘したように、脚を天板に固定するにあたっては、天板の角に近いところで固定することが重要である。そのため、ダルマ穴と突起を設ける位置も、天板の角近傍とそれに対応する脚上端プレートの位置とするのが好ましい。
【００７５】
もとより、第１の実施形態では、脚と天板との取付構造として、ダルマ穴と突起を示したが、これも最適な実施態様を示すに過ぎず、係止穴と係止片とが噛み合って係止するものであれば、いずれの構成によっても実現可能である。例えば、図６に示すように、フック状のフック６１と、これに係止する係止溝６２などにより構成することができる。このようなフック６１と、係止溝６２においても、ダルマ穴と突起の場合と同様、スライド移動させながらそれぞれを係止させることで、脚と天板との固定が可能となる。
【００７６】
第３の実施形態において、固定プレート５９の取付片５９ａ，５９ｂにおける穴の数も設計的事項に過ぎず、単数から複数まで任意に設定可能である。
【符号の説明】
【００７７】
１…テーブル
２…天板
３…支持杆
４…脚
４Ａ…孔
５…脚取付部
５１…支持杆接続部
５２…ボルト
５３…貫通孔
５４…ナットプレート
５４ａ…プレート面
５４ｂ…プレート片
５５…上端プレート
５６…ダルマ穴
５６ａ…小径穴
５６ｂ…大径穴
５７…突起
５８…突出片
５９…固定プレート
５９ａ，５９ｂ…取付片
５９ｃ…補強部
６１…フック
６２…係止溝
Ｂ…空き領域
【図１】
0005749001.tif 000002
【図２】
0005749001.tif 000003
【図３】
0005749001.tif 000004
【図４】
0005749001.tif 000005
【図５】
0005749001.tif 000006
【図６】
0005749001.tif 000007